(57)【要約】【課題】ハウジング内のＬＥＤおよびツェナーダイオードの導通検査を容易に行うことができるＬＥＤ照明ユニットを提供すること。【解決手段】光源となるＬＥＤ４１と、ツェナーダイオード４２と、ＬＥＤ４１が収容されるハウジング２０と、ＬＥＤ４１の陽極、陰極の各ＬＥＤ電極４１ｄ、およびツェナーダイオード４２の陽極、陰極の各ツェナーダイオード電極４２ｃに接続されることによってＬＥＤ４１の電源供給回路の導電路を形成する一対のバスバー５０と、を有してなるＬＥＤ照明ユニット１において、ハウジング２０は、ハウジング２０の外壁２１を貫通するように形成されてなる複数の貫通孔部３１を有してなり、一対のバスバー５０は、貫通孔部３１に対してハウジング２０の内側から外側に向けて挿通されるように突起され、かつＬＥＤ４１、およびツェナーダイオード４２の導通検査のための電気接続部となる導通検査用接続部６０を有してなる。【選択図】図４
2013243039.tif 000002
【特許請求の範囲】
【請求項１】
光源となるＬＥＤと、ツェナーダイオードと、該ＬＥＤが収容されるハウジングと、前記ＬＥＤの陽極、陰極の各ＬＥＤ電極、および前記ツェナーダイオードの陽極、陰極の各ツェナーダイオード電極に接続されることによって前記ＬＥＤの電源供給回路の導電路を形成する一対のバスバーと、を有してなるＬＥＤ照明ユニットにおいて、
前記ハウジングは、
該ハウジングの外壁を貫通するように形成されてなる複数の貫通孔部を有してなり、
前記一対のバスバーは、
前記貫通孔部に対して前記ハウジングの内側から外側に向けて挿通されるように突起され、かつ前記ＬＥＤ、および前記ツェナーダイオードの導通検査のための電気接続部となる導通検査用接続部を有してなることを特徴とするＬＥＤ照明ユニット。
【請求項２】
前記導通検査用接続部は、
突出端面がハウジングの外面に面一となるように形成されてなることを特徴とする請求項１に記載のＬＥＤ照明ユニット。
【発明の詳細な説明】
【技術分野】
【０００１】
本発明は、ＬＥＤを光源とするＬＥＤ照明ユニットに関する。
【背景技術】
【０００２】
従来、自動車の室内照明等に用いられる照明ユニットとして、光源にＬＥＤ（Ｌｉｇｈｔ  Ｅｍｉｔｔｉｎｇ  Ｄｉｏｄｅ：発光ダイオード）を用いるものがある。このようなＬＥＤ照明ユニットには、ＬＥＤの電源供給回路の導電路として一対のバスバーを用いたものが提案されている（例えば、特許文献１参照）。
【０００３】
特許文献１に記載されたＬＥＤ照明ユニットは、光源となるＬＥＤと、該ＬＥＤが収容されるハウジングと、ＬＥＤの陽極、陰極の各電極（以下、ＬＥＤ電極という。）に電気接続のために接触されることによってＬＥＤの電源供給回路の導電路を形成しつつ、ＬＥＤをハウジング内に固定する一対のバスバーと、を有してなる。
【０００４】
このようなＬＥＤをハウジング内に固定する一対のバスバーを有してなるＬＥＤ照明ユニットには、ツェナーダイオードを備えることによってＬＥＤの保護回路を形成するものがある。
【先行技術文献】
【特許文献】
【０００５】
【特許文献１】特開２０１１−１４８４６１号公報
【発明の概要】
【発明が解決しようとする課題】
【０００６】
しかしながら、特許文献１に記載されたＬＥＤ照明ユニットに、ＬＥＤ、ツェナーダイオードの複数の電子部品が設けられた場合、これらの電子部品は取り付け完了状態において、ハウジング内にあるため、導通検査を行うことが難しいという問題があった。
【０００７】
本発明は、上記に鑑みてなされたものであって、ハウジング内のＬＥＤおよびツェナーダイオードの導通検査を容易に行うことができるＬＥＤ照明ユニットを提供することを目的とする。
【課題を解決するための手段】
【０００８】
上述した課題を解決し、目的を達成するために、本発明の請求項１に係るＬＥＤ照明ユニットは、光源となるＬＥＤと、ツェナーダイオードと、該ＬＥＤが収容されるハウジングと、前記ＬＥＤの陽極、陰極の各ＬＥＤ電極、および前記ツェナーダイオードの陽極、陰極の各ツェナーダイオード電極に接続されることによって前記ＬＥＤの電源供給回路の導電路を形成する一対のバスバーと、を有してなるＬＥＤ照明ユニットにおいて、前記ハウジングは、該ハウジングの外壁を貫通するように形成されてなる複数の貫通孔部を有してなり、前記一対のバスバーは、前記貫通孔部に対して前記ハウジングの内側から外側に向けて挿通されるように突起され、かつ前記ＬＥＤ、および前記ツェナーダイオードの導通検査のための電気接続部となる導通検査用接続部を有してなることを特徴とする。
【０００９】
また、本発明の請求項２に係るＬＥＤ照明ユニットは、上記の発明において、前記導通検査用接続部は、突出端面がハウジングの外面に面一となるように形成されてなることを特徴とする。
【発明の効果】
【００１０】
本発明の請求項１に係るＬＥＤ照明ユニットは、前記ハウジングの前記貫通孔部に挿通されることによって前記ハウジングの外側に露出された前記導通検査用接続部を用いて、前記ハウジングの外側から前記ＬＥＤ、および前記ツェナーダイオードの導通検査を行うことができるので、ハウジング内のＬＥＤおよびツェナーダイオードの導通検査を容易に行うことができる。
【００１１】
本発明の請求項２に係るＬＥＤ照明ユニットは、前記導通検査用接続部の突出端面が前記ハウジングの外面に面一になっているので、導通検査装置のプローブを容易に接触させることができる。
【図面の簡単な説明】
【００１２】
【図１】図１は、本発明の実施例に係るＬＥＤ照明ユニットの分解斜視図である。
【図２】図２は、図１に示したＬＥＤ照明ユニットを斜め下方から視た図である。
【図３】図３は、図１に示したＬＥＤ照明ユニットの底面図である。
【図４】図４は、図３に示したＬＥＤ照明ユニットのＡ−Ａ線断面図である。
【図５】図５は、図４に示した導通検査用接続部の周辺を拡大した図である。
【図６】図６は、図１に示したハウジングカバーの斜視図である。
【図７】図７は、図１に示した一対のバスバーが収容されたハウジングの拡大図である。
【図８】図８は、図１に示した照明機能部の拡大斜視図である。
【図９】図９は、図１に示したバスバーの斜視図である。
【図１０】図１０は、図９に示したバスバーの上面図である。
【図１１】図１１は、図９に示したバスバーの側面図である。
【図１２】図１２は、ＬＥＤ照明ユニットと、相手コネクタとを示した斜視図である。
【図１３】図１３は、図１に示した照明機能部によって構成されるＬＥＤの電源供給回路の構成を示した回路図である。
【図１４】図１４は、ＬＥＤ照明ユニットの組み付け手順を示した図である。
【図１５】図１５は、ＬＥＤ照明ユニットの組み付け手順を示した図である。
【図１６】図１６は、ＬＥＤ照明ユニットの組み付け手順を示した図である。
【発明を実施するための形態】
【００１３】
以下、図面を参照して、本発明に係るＬＥＤ照明ユニットの好適な実施例を詳細に説明する。
【実施例】
【００１４】
図１は、本発明の実施例に係るＬＥＤ照明ユニット１の分解斜視図である。図２は、図１に示したＬＥＤ照明ユニット１を斜め下方から視た図である。図３は、図１に示したＬＥＤ照明ユニット１の底面図である。図４は、図３に示したＬＥＤ照明ユニット１のＡ−Ａ線断面図である。図５は、図４に示した導通検査用接続部６０の周辺を拡大した図である。図６は、図１に示したハウジングカバー１０の斜視図である。図７は、図１に示した一対のバスバー５０が収容されたハウジング２０の拡大図である。図８は、図１に示した照明機能部４０の拡大斜視図である。図９は、図１に示したバスバー５０の斜視図である。図１０は、図９に示したバスバー５０の上面図である。図１１は、図９に示したバスバー５０の側面図である。図１２は、ＬＥＤ照明ユニット１と、相手コネクタ７０とを示した斜視図である。図１３は、図１に示した照明機能部４０によって構成されるＬＥＤ４１の電源供給回路の構成を示した回路図である。
なお、図９−図１１では、電源供給回路として不要な部分を除去する前のバスバー５０を示している。
また、便宜上、図中の矢印に示すように前後、左右及び上下方向を定義する。
本発明の実施例に係るＬＥＤ照明ユニット１は、ＬＥＤ４１から発せられる光によって、例えば、車両の室内を照明するものである。
このＬＥＤ照明ユニット１は、図１に示すように、ハウジングカバー１０と、ハウジング２０と、照明機能部４０と、を有してなる。
【００１５】
まず、ハウジングカバー１０について説明する。
ハウジングカバー１０は、絶縁性の材料からなり、後端が開口された箱形形状のカバーであり、内部にハウジング２０が収容されるものである。このハウジングカバー１０は、上面に形成された上面開口１１にＬＥＤ４１から発せられた光を集光するレンズ１３が取り付けられている。また、ハウジングカバー１０は、下面に形成された下面開口１２からハウジング２０の後述する挿通孔部３１周辺が露出されるようになっている。
【００１６】
次に、ハウジング２０について説明する。
ハウジング２０は、絶縁性の材料からなり、上面に一対のバスバーを挿入可能に開口部２０ａが形成されたブロック状の筐体である。このハウジング２０は、図７に示すように、矩形状の底壁２１と、底壁２１の４辺のそれぞれから立設された、前壁２２と、前壁２２と向かい合う後壁２３と、向かい合う一対の左右壁２４とを有してなる。ハウジング２０は、これらの壁２１，２２，２３，２４によって形成された収容空間が、隔壁２５によって仕切られることによって各バスバー５０が収容されるバスバー収容部２６が形成されている。
【００１７】
隔壁２５は、後壁２３から前壁２２の手前まで延び、前壁２２と隔壁２５との間に各バスバー収容部２６を繋げる連接収容部２７が設けられている。この連接収容部２７は上下隔壁２８によって、上下に収容空間が仕切られることによって、ＬＥＤ４１が収容されるＬＥＤ収容部２９と、ツェナーダイオード４２が収容されるツェナーダイオード収容部３０とが設けられるようになっている。
【００１８】
前壁２２は、ＬＥＤ収容部２９内にＬＥＤ４１が挿入可能な開口であるＬＥＤ挿入口２２ａと、ツェナーダイオード収容部３０内にツェナーダイオード４２が挿入可能な開口であるツェナーダイオード挿入口２２ｂとが形成されている。
底壁２１は、各バスバー収容部２６内に二つの抵抗板４３の各抵抗板４３が挿入可能な開口である二つの抵抗挿入口２１ａが形成されている。
【００１９】
また、ハウジング２０は、ハウジング２０の外壁である底壁２１を貫通するように形成されてなる貫通孔部３１を有してなる。この貫通孔部３１は、図２に示すように、ハウジング２０の底壁２１の４箇所に並んで配置されている。これら４箇所の貫通孔部３１には、一対のバスバー５０に設けられた後述する各導通検査用接続部６０がハウジングの内側から外側に向けて挿通されるようになっている。
【００２０】
次に、照明機能部４０について説明する。
照明機能部４０は、ＬＥＤ４１と、ツェナーダイオード４２と、二つの抵抗板４３と、一対のバスバー５０と、を有してなり、ＬＥＤ４１に対して外部から電力を供給することによってＬＥＤを発光させる照明機能をなす部分である。
ＬＥＤ４１は、公知のＬＥＤであり、全体として直方体形状をなし、光が発光される発光部４１ａが上面に設けられ、かつ下面４１ｃに陽極、陰極の各ＬＥＤ電極４１ｄが設けられている。
【００２１】
ツェナーダイオード４２は、公知のツェナーダイオードであり、下面４２ｂに陽極、陰極の各ツェナーダイオード電極４２ｃが設けられている。
【００２２】
一対のバスバー５０は、板状の導電部材がプレス加工によって成形されたものであり、不図示の外部電源に接続されることによって、ＬＥＤ４１の電源供給回路の導電路を形成するものである。
この一対のバスバー５０の各バスバー５０には、一方のＬＥＤ電極４１ｄに接触されるようにしてＬＥＤ４１の上面、下面を挟持するＬＥＤ挟持部５１と、一方のツェナーダイオード電極４２ｃに接触されるようにしてツェナーダイオード４２の上面、下面を挟持するツェナーダイオード挟持部５２と、抵抗板４３が保持される抵抗板保持部５３と、外部電源に繋がる後述の相手コネクタ７０内の雌端子に接続される電源接続部５４と、ＬＥＤ４１およびツェナーダイオード４２の導通検査のための電気接続部となる導通検査用接続部６０と、を有してなる
【００２３】
ここで、一対のバスバー５０のうち、一つのバスバー５０についてより詳細に説明する。
バスバー５０は、板状の導電部材が天井折り返し部５０ａにて折り返されて向かい合う一対の板状導電部５０ｂが前側に形成され、この一対の板状導電部５０ｂにＬＥＤ挟持部５１と、ツェナーダイオード挟持部５２と、抵抗板保持５３と、導通検査用接続部６０とが形成されている。
【００２４】
ＬＥＤ挟持部５１は、前方に向けて天井折り返し部５０ａとの距離が小さくなるように傾斜されながら延出されてなる一対のＬＥＤ挟持用弾性片５１ａと、天井折り返し部５０ａの下方に向けて屈曲された両縁面５１ｂとでＬＥＤ４１を挟み込むようになっている。この実施例では、一対のバスバー５０の内側に配置された各ＬＥＤ挟持用弾性片５１ａがＬＥＤ４１の下面の各ＬＥＤ電極４１ｄに接触されるようになっている。
【００２５】
ツェナーダイオード挟持部５２は、一対の板状導電部５０ｂの下端縁面を一方の縁面として前方に向けて延出されてなる一対の片状突出部５２ａと、前方に向けて各片状突出部５２ａとの距離が小さくなるように傾斜されながら延出されてなる一対のツェナーダイオード挟持用弾性片５２ｂとでツェナーダイオード４２が挟持されるようになっている。これにより、一対のバスバー５０の各片状突出部５２ａがツェナーダイオード４２の下面の各ツェナーダイオード電極４２ｃに接触されるようになっている。
【００２６】
抵抗板保持部５３は、一対の板状導電部５０ｂの後端側に形成されている。この抵抗板保持部５３は、一対の板状導電部５０ｂの後端縁上部から下方に向けてアーム状に突出された一対の弾性アーム部５３ａを有してなる。抵抗板４３は、これら一対の弾性アーム部５３ａによって保持されることによってバスバー５０に接続されるようになっている。
【００２７】
導通検査用接続部６０は、貫通孔部３１に対してハウジング２０の内側から外側に向けて挿通されるように突起され、かつＬＥＤ４１、およびツェナーダイオード４２の導通検査のための電気接続部となる部分である。
この実施例では、導通検査用接続部６０は、各バスバー５０に対して対で設けられている。より具体的には、導通検査用接続部６０は、一対の片状突出部５２ａの各下端縁面５２ａａから下方に向けて突起されるように設けられている。
また、各導通検査用接続部６０は、その突出端面６０ａがハウジング２０の外面２０ｂに面一となるように形成されてなる。
【００２８】
電源接続部５４は、一対の板状導電部５０ｂの後端から延出された天井延出部５０ｃに連接され、天井延出部５０ｃから垂直下方に屈曲された屈曲連接部５４ａと、屈曲連接部５４ａから水平方向に突出されてなる雄端子部５４ｂとを有してなる。この雄端子部５４ｂが後述の相手コネクタ７０内の不図示の雌端子に接続されるようになっている。
【００２９】
このようなＬＥＤ照明ユニット１は、図１２に示すように、ハウジングカバー１０内に相手コネクタ７０が嵌入されることによって外部電源に接続され、図４および図８に示すように、ＬＥＤ４１と、ツェナーダイオード４２と、二つの抵抗板４３と、相手コネクタ７０内の不図示の雌端子とが一対のバスバー５０によって電気的に接続され、図１３に示すようなＬＥＤ４１の電源供給回路が構成される。
【００３０】
また、ＬＥＤ照明ユニット１は、ハウジング２０の外面側から、図８および図１３中の矢印Ａで示す位置に配置された各導通検査用接続部６０にテスター等の導通検査装置のプローブを接触させることによってＬＥＤ４１、およびツェナーダイオード４２の導通検査を行うことができる。
なお、導通検査装置による検査電流の向きは、ＬＥＤ４１の導通検査を行う場合と、ツェナーダイオード４２の導通検査を行う場合とで逆方向に設定する。
【００３１】
また、一対のバスバー５０は、各導通検査用接続部６０が各貫通孔部３１に挿通されるようにしてハウジング２０内に収容されるので、ハウジング２０内の所定位置に固定されるようになっている。
【００３２】
次に、図１４−図１６を用いて、ＬＥＤ照明ユニット１の組み付け手順について説明する。図１４−図１６は、ＬＥＤ照明ユニット１の組み付け手順を示した図である。
まず、作業者は、一対のバスバー５０を各バスバー収容部２６内に収容する（図１４（ａ）参照）。この場合、各バスバー５０は、一対の導通検査用接続部６０が各貫通孔部３１に挿通されるように位置合わせされながら各バスバー収容部２６内に収容される。
【００３３】
その後、作業者は、ＬＥＤ４１をＬＥＤ挿入口２２ａからハウジング２０内に挿入し、ツェナーダイオード４２をツェナーダイオード挿入口２２ｂからハウジング２０内に挿入することによって、陽極、陰極の各ＬＥＤ電極４１ｄ、および陽極、陰極の各ツェナーダイオード電極４２ｃを一対のバスバー５０に接続させる（図１４（ｂ）参照）。このＬＥＤ４１およびツェナーダイオード４２のバスバー５０への取り付けの際、各バスバー５０に対して外力が負荷されるものの、各バスバー５０は導通検査用接続部６０によってハウジング２０に固定されているので、ハウジング２０内の取り付け位置から移動されない。
【００３４】
その後、作業者は、二つの抵抗板４３を各バスバー５０の弾性アーム部５３ａによって保持させる（図１５（ｃ）参照）。これにより、抵抗板４３が各バスバー５０に接続される。
【００３５】
その後、作業者は、各バスバー５０の導電路として不要な部分を除去する（図１５（ｄ）参照）。これにより、例えば、図中矢印で示した部分が除去され、各バスバー５０がハウジング２０内の固定位置に対応した形状に成形される。
【００３６】
その後、作業者は、照明機能部４０が取り付けられたハウジング２０をハウジングカバー１０内に挿入する（図１６（ｅ）参照）。これにより、ハウジング２０の各開口がハウジングガバー１０によって覆われ、ＬＥＤ照明ユニット１の組み付けが完了される（図１６（ｆ）参照）。このＬＥＤ照明ユニット１は、その後、相手コネクタ７０と接続される。
【００３７】
本発明の実施例に係るＬＥＤ照明ユニット１は、ハウジング２０の貫通孔部３１に挿通されることによってハウジング２０の外側に露出された導通検査用接続部６０を用いて、ハウジング２０の外側からＬＥＤ４１、およびツェナーダイオード４２の導通検査を行うことができるので、ハウジング２０内のＬＥＤ４１およびツェナーダイオード４２の導通検査を容易に行うことができる。
【００３８】
また、本発明の実施例に係るＬＥＤ照明ユニット１は、一対のバスバー５０が各導通検査用接続部６０を各貫通孔部３１に挿通させることによってハウジング２０内の所定位置に固定されるようになっているので、ＬＥＤ４１およびツェナーダイオード４２のバスバー５０への取り付けの際、各バスバー５０はがハウジング２０の取り付け位置から移動されることを防止することができる。
【００３９】
また、本発明の実施例に係るＬＥＤ照明ユニット１は、導通検査用接続部６０の突出端面６０ａがハウジング２０の外面に面一になっているので、導通検査装置のプローブを容易に接触させることができる。
【００４０】
なお、本発明の実施例のＬＥＤ照明ユニット１は、電源接続部５４が、雄端子を有してなるもの例示したが、これに限らず、電源に接続されるようになっていればその他の構成であってもよい。例えば、電線が圧接される圧接端子であっても構わない。
【００４１】
また、本発明の実施例のＬＥＤ照明ユニット１は、二つの抵抗板４３を有してなるものを例示したが、これに限らず、一つの抵抗板４３を有してなるものであっても構わない。
【００４２】
また、本発明の実施例のＬＥＤ照明ユニット１は、導通検査用接続部６０が各バスバー５０に対で設けられるものを例示したが、これに限らず、導通検査用接続部６０が各バスバー５０に一以上形成されていればよい。このため、貫通孔部３１は、導通検査用接続部６０の数に応じて形成するとよい。
【００４３】
また、本発明の実施例のＬＥＤ照明ユニット１は、ハウジング２０が収容されるハウジングカバー１０を有してなるものを例示したが、これに限らず、ハウジング１０自体の密閉性を高めることによってハウジングカバー１０を用いない構成としても構わない。
【００４４】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４５】
１        ＬＥＤ照明ユニット
１０      ハウジングカバー
１１      上面開口
１２      下面開口
１３      レンズ
２０      ハウジング
２０ａ    開口部
２０ｂ    外面
２１      底壁
２１ａ    抵抗挿入口
２２      前壁
２２ａ    ＬＥＤ挿入口
２２ｂ    ツェナーダイオード挿入口
２３      後壁
２４      左右壁
２５      隔壁
２６      バスバー収容部
２７      連接収容部
２８      上下壁
２９      ＬＥＤ収容部
３０      ツェナーダイオード収容部
３１      貫通孔部
４０      照明機能部
４１      ＬＥＤ
４１ａ    発光部
４１ｄ    ＬＥＤ電極
４２      ツェナーダイオード
４２ｃ    ツェナーダイオード電極
４３      抵抗板
５０      バスバー
５０ａ    天井折り返し部
５０ｂ    板状導電部
５０ｃ    天井延出部
５１      ＬＥＤ挟持部
５１ａ    ＬＥＤ挟持用弾性片
５１ｂ    両縁面
５２      ツェナーダイオード挟持部
５２ａ    片状突出部
５２ａａ  下端縁面
５２ｂ    ツェナーダイオード挟持用弾性片
５３      抵抗板保持部
５３ａ    弾性アーム部
５４      電源接続部
５４ａ    屈曲連接部
５４ｂ    雄端子部
６０      導通検査用接続部
６０ａ    突出端面
７０      相手コネクタ
【図１】
2013243039.tif 000003
【図２】
2013243039.tif 000004
【図３】
2013243039.tif 000005
【図４】
2013243039.tif 000006
【図５】
2013243039.tif 000007
【図６】
2013243039.tif 000008
【図７】
2013243039.tif 000009
【図８】
2013243039.tif 000010
【図９】
2013243039.tif 000011
【図１０】
2013243039.tif 000012
【図１１】
2013243039.tif 000013
【図１２】
2013243039.tif 000014
【図１３】
2013243039.tif 000015
【図１４】
2013243039.tif 000016
【図１５】
2013243039.tif 000017
【図１６】
2013243039.tif 000018